(57)【要約】      （修正有）【課題】温室において、ソーラパネル発電設備と温室棚をモジュール化可能な温室棚を提供する。【解決手段】モジュール化可能なソーラエネルギ施設の温室棚は、互いに隣接した立柱１１間に掛け渡すように設けた温室棚を含む。立柱１１には、コネクタ２が接続される。温室棚は、コネクタ２に接続されるとともに互いに隣接した立柱１１間に掛け渡すように設けられる。コネクタ２の頂部には、ソーラパネルサポート３が形成される。温室棚は、波状温室棚である。波状温室棚上に棚布を掛けて覆い、温室１の頂棚を形成する。【選択図】図１
0003177129.tif 000002
【実用新案登録請求の範囲】
【請求項１】
互いに隣接した立柱間に掛け渡すように設けた温室棚を含む、モジュール化可能なソーラエネルギ施設の温室棚であって、
前記立柱には、コネクタが接続され、
前記温室棚は、前記コネクタに接続されるとともに互いに隣接した前記立柱間に掛け渡すように設けられ、前記コネクタの頂部には、ソーラパネルサポートが形成されることを特徴とするモジュール化可能なソーラエネルギ施設の温室棚。
【請求項２】
前記温室棚は、波状温室棚であり、
前記波状温室棚上に棚布を掛けて覆い、温室の頂棚を形成することを特徴とする請求項１に記載のモジュール化可能なソーラエネルギ施設の温室棚。
【請求項３】
前記コネクタの頂部には、貯水層が設けられ、
前記貯水槽には、上向きに開放した槽口が設けられることを特徴とする請求項１に記載のモジュール化可能なソーラエネルギ施設の温室棚。
【請求項４】
前記コネクタの側部には、排水槽が設けられ、
前記貯水槽と前記排水槽との間には、導水管が接続されることを特徴とする請求項３に記載のモジュール化可能なソーラエネルギ施設の温室棚。
【請求項５】
前記コネクタは、外端側が側棚サポートに結合され、
前記外端側は、前記温室棚の周辺に位置することを特徴とする請求項１に記載のモジュール化可能なソーラエネルギ施設の温室棚。
【請求項６】
前記ソーラパネルサポートは、前記コネクタの頂部に接続されることを特徴とする請求項１に記載のモジュール化可能なソーラエネルギ施設の温室棚。
【請求項７】
前記ソーラパネルサポートは、前記立柱から延伸され、前記コネクタの頂部に配置されることを特徴とする請求項１に記載のモジュール化可能なソーラエネルギ施設の温室棚。
【請求項８】
前記ソーラパネルサポート上には、ソーラパネルが載置され、
前記ソーラパネルと前記ソーラパネルサポートとの間には、メンテナンス用のスライディングプラットフォームが摺設されることを特徴とする請求項１に記載のモジュール化可能なソーラエネルギ施設の温室棚。
【請求項９】
前記温室棚は、屋根状であることを特徴とする請求項１に記載のモジュール化可能なソーラエネルギ施設の温室棚。
【請求項１０】
前記立柱と前記コネクタの頂部との間には、貯水槽が設けられ、
前記貯水槽は、上向きに開放され、屋根状の温室棚の端部に接続された槽口を有することを特徴とする請求項９に記載のモジュール化可能なソーラエネルギ施設の温室棚。
【考案の詳細な説明】
【技術分野】
【０００１】
本考案は、温室棚に関し、特に、モジュール化可能なソーラエネルギ施設の温室棚に関する。
【背景技術】
【０００２】
温室（農業ハウスとも称する）は、植物又は農作物を栽培するために用いる農業用ハウスであり、一般に、都市、内陸の村又は高緯度の山中に設置するのに適している。よく見かける温室は、多数のサポート棚が接続されて棚状に形成され、その周囲及び頂部を防虫ネット、透明ガラス、透明プラスチックプレート、ベネシャンブラインド又は透明プラスチックフィルムで覆うことにより、温室内で栽培されている植物に太陽光が直接照射される。これにより、植物又は農作物の光合を有利に行うことができる。温室も温室内外の空気対流を緩めたり隔離したりすることができ、これにより温室内の温度、空気、水、土壌を温め、植物又は農作物の成長に有利な栽培エリアを形成する。
【０００３】
一般に温室により植物又は農作物を栽培する際、電力設備（例えば、植物栽培ランプ、スプリンクラー設備、ファンなど）を組み合わせる必要がある。温室は、内陸の村、さらには高緯度地域など、電力が足りない場所に設置され、上述の電力施設に供給する電源を得ることは容易でない。温室を設置する場所が仮に都市、郊外、山中であったとしても、もし温室に自然エネルギ源の発電施設を取り付けることができれば、土地利用の付加価値を高めることができる。そのため、温室とソーラエネルギ設備とを組み合わせることは重要である。
【０００４】
従来よく見かける温室棚は、ソーラエネルギ設備に設置するために設計されているのではなく、その温室棚が風雨から防ぐ機能しか備えていないため、温室棚にソーラエネルギ設備を搭載することはできない。特に、ソーラパネルで構成された発電設備は、従来の温室棚とモジュール化して一体化させることができないため、改善が求められていた。
【先行技術文献】
【特許文献】
【０００５】
【特許文献１】なし
【考案の概要】
【考案が解決しようとする課題】
【０００６】
そこで、本考案の目的は、従来のソーラ棚にソーラパネル発電施設を設置する際の問題点を解決し、モジュール化可能なソーラエネルギ施設の温室棚を提供することにある。
【課題を解決するための手段】
【０００７】
上記課題を解決するために、互いに隣接した立柱間に掛け渡すように設けた温室棚を含む、モジュール化可能なソーラエネルギ施設の温室棚であって、前記立柱には、コネクタが接続され、前記温室棚は、前記コネクタに接続されるとともに互いに隣接した前記立柱間に掛け渡すように設けられ、前記コネクタの頂部には、ソーラパネルサポートが形成されることを特徴とするモジュール化可能なソーラエネルギ施設の温室棚が提供される。
【０００８】
前記温室棚は、波状温室棚であり、前記波状温室棚上に棚布を掛けて覆い、温室の頂棚を形成することが好ましい。
【０００９】
前記コネクタの頂部には、貯水層が設けられ、前記貯水槽には、上向きに開放した槽口が設けられることが好ましい。
【００１０】
前記コネクタの側部には、排水槽が設けられ、前記貯水槽と前記排水槽との間には、導水管が接続されることが好ましい。
【００１１】
前記コネクタは、外端側が側棚サポートに結合され、前記外端側は、前記温室棚の周辺に位置することが好ましい。
【００１２】
前記ソーラパネルサポートは、前記コネクタの頂部に接続されることが好ましい。
【００１３】
前記ソーラパネルサポートは、前記立柱から延伸され、前記コネクタの頂部に配置されることが好ましい。
【００１４】
前記ソーラパネルサポート上には、ソーラパネルが載置され、前記ソーラパネルと前記ソーラパネルサポートとの間には、メンテナンス用のスライディングプラットフォームが摺設されることが好ましい。
【００１５】
前記温室棚は、屋根状であることが好ましい。
【００１６】
前記立柱と前記コネクタの頂部との間には、貯水槽が設けられ、前記貯水槽は、上向きに開放され、屋根状の温室棚の端部に接続された槽口を有することが好ましい。
【考案の効果】
【００１７】
本考案のモジュール化可能なソーラエネルギ施設の温室棚は、ソーラパネルサポートと温室棚とをモジュール化して一体化させ、温室を設置する場所にソーラパネルを設置してソーラエネルギを受け取って発電を行い、温室又は外部の電力施設に必要な電力を十分に供給することができる他、上述のモジュール化特性により、温室の敷設面積を自在に変更したり拡張したりして土地利用の付加価値を高めるとともに、ソーラパネルを揺動させて温室に照射される太陽光の強度を調整して発電量を増やすことができる。
【図面の簡単な説明】
【００１８】
【図１】本考案の一実施形態に係る波状温室棚を示す正面図である。
【図２】図１の側面図である。
【図３】図１のコネクタの部分拡大図である。
【図４】図１のソーラパネルサポート及びソーラエネルギ設備を示す部分拡大図である。
【図５】図１の側棚サポートを示す部分拡大図である。
【図６】図５の側棚サポートの他の実施形態を示す部分拡大図である。
【図７】図２の立柱及びコネクタを示す部分拡大図である。
【図８】図７の他の実施形態を示す図である。
【図９】図７の他の実施形態を示す図である。
【図１０】図１の貯水槽の他の実施形態を示す部分拡大図である。
【図１１】本考案の一実施形態に係る屋根状の温室棚を示す部分拡大図及び正面図である。
【図１２】図１１の貯水槽の他の実施形態を示す部分拡大図である。
【考案を実施するための形態】
【００１９】
図１及び図２を参照する。図１及び図２に示すように、本考案の一実施形態に係る波状温室棚は、互いに隣接した２つの立柱１１の頂部間に掛け渡すように設けた温室棚を含む。この温室棚は、実際には波状温室棚１０である。この棚１０は、上に向かって隆起した弧状サポート１２と、弧状サポート１２の下方に位置するレベルサポート１３と、から構成される。弧状サポート１２及びレベルサポート１３を利用し、互いに隣接した２つの立柱１１間に波状温室棚１０を掛け渡すように設け、棚１０上に棚布１８を掛けて覆い（図６参照）、温室１の頂棚をモジュール化する。
【００２０】
さらに詳細には、立柱１１の頂部には、ボルト、溶接又はその他の固定方式により、コネクタ２が結合されている。波状温室棚１０は、互いに隣接した２つの立柱１１間にコネクタ２が接続されている。さらに詳細には、立柱１１は、コネクタ２の端側２１を介して弧状サポート１２及びレベルサポート１３の一端とそれぞれ接続されている。コネクタ２の頂部には、上向きにソーラパネルサポート３が形成されている。
【００２１】
また、コネクタ２は実質上、長尺状であり、互いに隣接した立柱１１の頂部間に掛け渡すように設けられ、コネクタ２の端側と弧状サポート１２の端部との間に、中継コネクタ１７を通して連結し（図３参照）、中継コネクタ１７が斜め上方へ延伸され、ボルト、溶接又はその他の固定方式により、コネクタ２の端側に結合されている。弧状サポート１２とレベルサポート１３との間には、複数本のサポートポール１４１が接続されている。サポートポール１４１は、斜めに立設され、弧状サポート１２とレベルサポート１３との間に発生する応力を分散させるために用いるロッドとして用いる。本実施形態の立柱１１は、Ｈ型鋼、角管又は丸管でもよい。コネクタ２は、Ｈ型鋼又は角管でもよい。
【００２２】
コネクタ２の頂部には、貯水槽４が凹設されている（図３参照）。貯水槽４には、上向きに開放した槽口４１が設けられ、コネクタ２側部の下方には排水槽５が設けられている。貯水槽４と排水槽５との間には、導水管５１が配置されている。これにより、雨水が波状温室棚１０により構成された頂棚より低い場合、貯水槽４内に流れ込み、導水管５１及び排水槽５により雨水を外部又は地面に排出させることにより、頂棚より低く窪んだ場所に雨水が溜まることを防ぐことができる。
【００２３】
上述した頂棚上の雨水を案内する方式は、貯水槽４の槽底を、コネクタ２、ソーラパネルサポート３、立柱１１に貫設させるとともに、排水管５２を地面まで達するように下向きに延伸させる（図１０参照）。
【００２４】
温室１の側辺に設けた立柱１１のコネクタ２の外端側２１１を、側棚サポート１６へ結合させ（図５参照）、側棚サポート１６は、凹部１６０を有する。この凹部１６０は、適宜な箇所まで下向きに延伸させる。凹部１６０は、螺着、掛止又はその他の固定方式により、コネクタ２の外端側２１１に結合させる。外端側２１１は、波状温室棚構造の周囲に設けられ、側棚サポート１６を利用し、その周囲に防風カーテン１９（又はその他の防虫ネット、透明プラスチックプレート、ベネシャンブラインド又は透明プラスチックフィルムなど）を掛止して地面まで垂れ下げて（図６参照）側壁として用いることにより、温室の側棚を形成するが、勿論、側棚サポート１６の周囲に側壁を取り付けずに開放式の温室を形成して通風させてもよい。
【００２５】
上述したように、波状温室棚１０に棚布１８を掛止したり側棚サポート１６に防風カーテン１９を掛止したりする方式は、従来技術のように、押縁により棚布１８又は防風カーテン１９を係合溝に押圧係合して位置決めする方式でもよい。当業者であれば分かるように、波状温室棚１０又は側棚サポート１６上に、棚布１８又は防風カーテン１９を固定する方式は、縛ったり釘で打ち付けたり、又はその他の方式により行ってもよい。
【００２６】
上述の側棚サポート１６１は、温室の外側へ向けて伸張されて弧状に形成された弓部１６２（図６参照）を有し、この弓部１６２から地面に達するまで下方へ延伸し、側棚サポート１６の周辺部分により上述の側棚を覆い、雨水を排出するのに都合が良いように頂棚との間に流路が設けられている。図５及び図６に示すように、側棚サポート１６，１６１は、凹部１６０又は弓部１６２と段階的に接続されている。
【００２７】
上述のソーラパネルサポート３は、コネクタ２の頂部に接続して形成される（図３参照）。また、ソーラパネルサポート３は、複数の直立棚３１と、直立棚３１間に掛け渡すように設けた複数の横置棚３２（図１参照）と、を含む。本考案は、直立棚３１を利用し、コネクタ２の頂部へソーラパネルサポート３を接続させる。
【００２８】
上述のソーラパネルサポート３は、立柱１１に延設されている。さらに、ソーラパネルサポート３は、立柱１１が延伸されて形成された部分であり、直立棚３１でもよい。
【００２９】
本考案は、上述の構造を利用し、ソーラパネルサポート３上にソーラエネルギ設備（図４及び図７参照）を取り付け、自動太陽追日機能を備える複数の支持棚６が設置されたソーラパネル６１を含み、このソーラパネル６１をソーラパネルサポート３上に水平に載置したり、太陽のある方向へ向けて揺動させたりして最適な受光角度を得てもよい。
【００３０】
さらに、上述の支持棚６ａは、太陽がある方向へ向けて斜めに固定して受光を行い（図８参照）、支持棚６ａ上にソーラパネル６１を敷設したり、或いは、横置棚３２上へソーラパネル６１を水平に直接敷設したりしてもよい（図９参照）。
【００３１】
ソーラパネル６１とソーラパネルサポート３との間には、スライディングプラットフォーム７が摺設されている。さらに詳細には、スライディングプラットフォーム７は、ソーラパネル６１と横置棚３２との間に摺設されている。ここで摺設とは、横置棚３２の上方に軌道を配置して固定するとともに、スライディングプラットフォーム７の周囲にローラを取り付け、軌道を介してローラを案内して変位させ、軌道上でスライディングプラットフォーム７を摺動させて変位させることを指す。スライディングプラットフォーム７が取り付けられているため、作業員はスライディングプラットフォーム７上で横臥したり坐臥したりして、温室の頂棚及びソーラエネルギ施設をメンテナンスすることができる。
【００３２】
本実施形態の立柱１１、コネクタ２、直立棚３１、横置棚３２は、例えば、アルミニウムなどの軽量材料からなり、前述の弧状サポート１２、レベルサポート１３、サポートポール１４１、側棚サポート１６、中継コネクタ１７は、金属管又は金属棒により製作される。
【００３３】
図１１及び図１２を参照する。図１１及び図１２に示すように、本考案の一実施形態に係るモジュール化可能なソーラエネルギ施設の温室棚の屋根状の温室棚は、波状温室棚と以下の点で異なる。温室１ａにおいて、互いに隣接した立柱１１の頂部間に屋根状の棚１０ａを掛け渡す。さらに詳細には、屋根状の棚１０ａは、上向きに隆起した夾角の傾斜サポート１５ａにより構成され、傾斜サポート１５ａの頂部に多数の透明又は半透明のガラスプレート８が敷設されることにより、屋根状の棚１０ａは、ガラスプレート８により覆われて形成された温室１ａの頂棚を有する。立柱１１ａがコネクタ２ａに結合され、コネクタ２ａの端側２１ａが傾斜サポート１５ａの端部に接続され、コネクタ２ａの頂部には、ソーラパネルサポート３ａが上向きに接続されている。
【００３４】
貯水槽４ａは、立柱１１ａとコネクタ２ａの頂部との間に設けられ、上向きに開放されて傾斜サポート１５ａの一端に接続された槽口４１ａを有する。貯水槽４ａは、コネクタ２ａの頂部に設けられた凹状プレート４２ａを有し、立柱１１ａの頂端の側壁に隣接したコネクタ２ａの箇所には、凹状プレート４２ａを貫設させる開口部１１１ａが形成され、水を凹状プレート４２ａに沿わせて立柱１１ａ間に流通させる。水は、この導水管により地面まで案内されて排出される。
【００３５】
実際には、Ｈ型鋼又は角管からなる立柱１１ａの開口部１１１ａの両側外壁には、リブプレートを結合して補強構造として用いてもよい。棚１０ａの周囲の立柱１１ａ間には、透明ガラスプレートを取り付けて温室１ａの外壁として用い、壁面の一部に、空気対流させるために網を取り付けたり、温室１ａ内部の温度及び湿度が強風により悪影響を受けないように、棚１０ａの外層に１層のＰＥ防風層を設けたりしてもよい。屋根状の棚１０ａのその他の構成は、上述の波状温室棚１０と同じにしてもよい。
【００３６】
上述したように、ソーラパネルサポート３と温室棚とをモジュール化して一体化させることができるように、温室を設置する場所にもソーラパネル６１を配置してソーラエネルギを受け取って発電を行い、温室又は外部の電力施設の電力供給を満足させることができる他、上述のモジュール化した特性に有利なように、温室の敷設面積を自在に変更したり拡張したりし、土地利用の付加価値を高めるとともに、ソーラパネル６１を揺動させて温室に照射される太陽光の強度を調整する。
【００３７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３８】
１：温室
１ａ：温室
２：コネクタ
２ａ：コネクタ
３：ソーラパネルサポート
３ａ：ソーラパネルサポート
４：貯水槽
４ａ：貯水槽
５：排水槽
６：支持棚
６ａ：支持棚
７：スライディングプラットフォーム
８：ガラスプレート
１０：棚
１０ａ：棚
１１：立柱
１１ａ：立柱
１２：弧状サポート
１３：レベルサポート
１５ａ：傾斜サポート
１６：側棚サポート
１７：中継コネクタ
１８：棚布
１９：防風カーテン
２１：端側
２１ａ：端側
３１：直立棚
３２：横置棚
４１：槽口
４１ａ：槽口
４２：凹状プレート
４２ａ：凹状プレート
４３：側板
５１：導水管
５２：排水管
６１：ソーラパネル
１１１ａ：開口部
１４１：サポートポール
１６０：凹部
１６１：側棚サポート
１６２：弓部
２１１：外端側
【図１】
0003177129.tif 000003
【図２】
0003177129.tif 000004
【図３】
0003177129.tif 000005
【図４】
0003177129.tif 000006
【図５】
0003177129.tif 000007
【図６】
0003177129.tif 000008
【図７】
0003177129.tif 000009
【図８】
0003177129.tif 000010
【図９】
0003177129.tif 000011
【図１０】
0003177129.tif 000012
【図１１】
0003177129.tif 000013
【図１２】
0003177129.tif 000014